(57)【特許請求の範囲】
【請求項１】
給湯器に接続可能な食器洗い機であって、食器類を収納する洗浄槽と、前記洗浄槽に給水する給水手段と、洗浄水を食器類に向けて噴出する洗浄ノズルと、前記洗浄槽に溜められた洗浄水を洗浄ノズルに送り込む洗浄手段と、前記洗浄槽内の洗浄水の水位を検知する水位検知手段と、前記洗浄槽内の洗浄水を洗浄槽外に排出する排水手段と、洗浄水を加熱する加熱手段と、前記洗浄槽内の洗浄水の水温を検知する温度検知手段と、前記温度検知手段により検知した水温を記憶する記憶手段と、前記食器類の洗浄、すすぎ、乾燥行程の一連の動作を逐次制御する制御手段とを備え、前記制御手段は、初期の給水開始から所定時間後に洗浄槽内の第１の水温を前記温度検知手段により検知し、さらに、前記水位検知手段により洗浄水位検知後から所定時間後に、洗浄槽内の第２の水温を前記温度検知手段により検知し、この第１の水温、第２の水温間の温度上昇値が所定値より低い場合は洗浄槽内の洗浄水を排水し、再度給水を行い、前記温度上昇値が前記所定値より高い場合は排水せずに洗浄行程に移行するようにした食器洗い機。
【請求項２】
制御手段は、初期の給水開始時に温度検知手段により雰囲気温度を検知し、雰囲気温度に応じて所定値を補正するようにした請求項１記載の食器洗い機。
【請求項３】
制御手段は、初期給水開始から水位検知手段により洗浄水位検知までの時間を測定し、洗浄水位検知までの時間に応じて所定値を補正するようにした請求項１記載の食器洗い機。
【請求項４】
食器類の出し入れを行うドアと、前記ドアの開閉状態を検知するドア開閉検知手段とを備え、制御手段は、初期の給水開始から第２の水温を検知するまでの間にドアが開けられたことをドア開閉検知手段により検知した場合は、洗浄槽内の洗浄水を排水し、再度給水を行うようにした請求項１記載の食器洗い機。
【請求項５】
制御手段は、食器類の洗浄、すすぎ、乾燥行程の一連の逐次動作終了後、温度検知手段により単位時間当たりの雰囲気温度の傾きを検知し、雰囲気温度の傾きが所定値以下になるまでに再運転を開始した場合は、洗浄槽内の水温を前記温度検知手段により検知せずに、前回の温度上昇値を基にして滞留水の有無を判断するようにした請求項１記載の食器洗い機。
【請求項６】
制御手段は、検知した温度上昇値が所定の範囲を越える場合は、温度上昇値が所定値より低いと判断するようにした請求項１記載の食器洗い機。
【請求項７】
制御手段は、食器類の洗浄、すすぎ、乾燥行程の一連の逐次動作終了後、所定時間内に再運転を開始した場合は、洗浄水内の水温を温度検知手段により検知せずに、温度上昇値が所定値より高いと判断するようにした請求項１記載の食器洗い機。
【発明の詳細な説明】
【０００１】
【発明の属する技術分野】
本発明は洗浄槽に収納した食器類に洗浄水を噴射して洗浄する、給湯器に接続可能な食器洗い機に関するものである。
【０００２】
【従来の技術】
従来、この種の食器洗い機は図１３に示すように構成していた。以下、その構成について説明する。
【０００３】
図に示すように、洗浄槽１は、食器類２を内部に収納するとともに、給水弁（給水手段）３から洗浄水を供給し、底部に溜めている。洗浄ノズル４は、洗浄槽１内に回転自在に支持され、食器類２に向けて洗浄水を噴出する。洗浄ポンプ（洗浄手段）５は洗浄水を洗浄ノズル４に送り込むもので、この洗浄ポンプ５はモータ６によって駆動される。水位センサ（水位検知手段）７は、洗浄槽１内の水位を検知し、電気信号として出力する。
【０００４】
ヒータ（加熱手段）８は、洗浄槽１の底部に配設され、洗浄水を加熱する。サーミスタ（温度検知手段）９は、洗浄槽１の底部に外側より密着するように取り付け、洗浄水の水温を熱伝導により検知する。排水ポンプ（排水手段）１０は洗浄槽１内の洗浄水を排出するもので、この排水ポンプ１０はモータ１１によって駆動される。送風ファン１２は、洗浄槽１内の蒸気を送り出すもので、排気口１６より機外へ排出される。
【０００５】
食器かご１４は、食器類２を配置するものである。ドア１５は洗浄槽１の内部に収納した食器類２の出し入れの際に開閉するものであり、このドア１５が開いているか、閉じているかをドア開閉検知手段１６により検知する。制御手段１７は、食器類２の洗浄、すすぎ、乾燥行程の一連の動作を逐次制御する。
【０００６】
上記構成において動作を説明すると、利用者が食器類２を食器かご１４に配置して洗浄槽１に収納し、洗剤を入れた後、運転を開始すると、まず、洗浄槽１の底部に水位センサ７が所定の水位を検知するまで、給水弁３から水道水が給水される。そして、モータ６およびヒータ８に通電され、洗浄水は加熱されながら洗浄ポンプ５により、洗浄ノズル４から食器類２に向けて噴出される。
【０００７】
このとき、サーミスタ９により洗浄水の温度を検知し、制御手段１７は常に洗浄水の温度を把握している。洗浄水の温度が所定の温度に到達し、かつ、洗浄開始から所定時間経過したとき、制御手段１７は洗浄行程を終了し、排水ポンプ１０を駆動するモータ１１に通電し、一旦、洗浄水を排水する。
【０００８】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達し、かつ、所定時間経過したとき、これを終了として排水する。最後に送風ファン１２を運転して、洗浄槽１内の蒸気を機外へ排出すると同時に、ヒータ８に間欠に通電を行い食器類２を加熱して、付着している水滴を乾燥させる。
【０００９】
このような従来の構成において、洗浄、すすぎ、乾燥の一連の逐次動作に要する時間が約１時間と長く、もっと短時間にて運転が終了する食器洗い機の開発が望まれていた。特に、洗浄行程と加熱すすぎ行程の中で、所定温度に達し、かつ、所定時間経過したとき終了しており、この所定温度にまで加熱するのに要する時間が運転時間が長いとされる一因とされていた。
【００１０】
最近では、これらを解決するために、給湯器に接続可能な食器洗い機が開発されており、給湯器から食器洗い機までの滞留水を排水してから、従来の洗浄、すすぎ、乾燥の一連の逐次動作を行っていた。
【００１１】
この場合の動作を図１４を参照しながら説明する。ステップ６０において、給水弁３をオンさせ、給湯器から食器洗い機間に存在する滞留水を洗浄槽１内に給水する。ステップ６１において、洗浄水位に達するまで水位センサ７にて検知する。洗浄水位に達すると、ステップ６２にて給水弁３をオフし、ステップ６３にて排水ポンプ１０を２０秒間オンさせ、洗浄槽１内の洗浄水を排水する。
【００１２】
ステップ６４にて、給水弁３を再びオンさせることにより、ステップ６５にて洗浄水位に達するまで給湯を行うことができ、ステップ６６にて、給水弁１をオフし、洗浄槽１内の給湯を確実に行っていた。
【００１３】
なお、この種の食器洗い機に関する先行技術は、例えば特開平５−２６１０５６号公報に開示されている。
【００１４】
【発明が解決しようとする課題】
このような従来の構成では、給湯器から食器洗い機に至るまでの配管の状態は、各家庭により千差万別で、滞留水なしで食器洗い機に給湯可能な家庭もあれば、必ず滞留水が存在する家庭もある。また、食器洗い機以外での給湯器の使用状態により、滞留水の有無が変化する家庭もあり、このような家庭すべてに確実に給湯を行うために、滞留水の有無に関係なく、常に水を捨てるという制御を行っていた。そのため、滞留水なしで食器洗い機に給湯可能な家庭では、一回分給湯を無駄に捨ててしまうという問題を有していた。
【００１５】
本発明は上記課題を解決するもので、初回に給湯が行われている場合には、そのまま洗浄をおこない、配管内に滞留水がある場合には、排水して滞留水を除去し、給湯を無駄に捨てることなく運転時間を短縮することを目的としている。
【００１６】
【課題を解決するための手段】
本発明は上記目的を達成するために、食器類を収納する洗浄槽に給水手段により給水し、洗浄槽内の洗浄水の水位を水位検知手段により検知し、洗浄槽内の洗浄水の水温を温度検知手段により検知する。制御手段は、食器類の洗浄、すすぎ、乾燥行程の一連の動作を逐次制御するとともに、初期の給水開始から所定時間後に洗浄槽内の第１の水温を温度検知手段により検知し、さらに、水位検知手段により洗浄水位検知後から所定時間後に、洗浄槽内の第２の水温を温度検知手段により検知し、この第１の水温、第２の水温間の温度上昇値が所定値より低い場合は洗浄槽内の洗浄水を排水手段により排水し、再度給水を行い、温度上昇値が所定値より高い場合は排水せずに洗浄行程に移行するようにしたものである。
【００１７】
これにより、初回に給湯が行われている場合には、そのまま洗浄をおこない、滞留水がある場合には、排水して配管内の滞留水を除去することができ、給湯を無駄に捨てることなく運転時間を短縮することができる。
【００１８】
【発明の実施の形態】
本発明の請求項１に記載の発明は、給湯器に接続可能な食器洗い機において、食器類を収納する洗浄槽と、前記洗浄槽に給水する給水手段と、洗浄水を食器類に向けて噴出する洗浄ノズルと、前記洗浄槽に溜められた洗浄水を洗浄ノズルに送り込む洗浄手段と、前記洗浄槽内の洗浄水の水位を検知する水位検知手段と、前記洗浄槽内の洗浄水を洗浄槽外に排出する排水手段と、洗浄水を加熱する加熱手段と、前記洗浄槽内の洗浄水の水温を検知する温度検知手段と、前記温度検知手段により検知した水温を記憶する記憶手段と、前記食器類の洗浄、すすぎ、乾燥行程の一連の動作を逐次制御する制御手段とを備え、前記制御手段は、初期の給水開始から所定時間後に洗浄槽内の第１の水温を前記温度検知手段により検知し、さらに、前記水位検知手段により洗浄水位検知後から所定時間後に、洗浄槽内の第２の水温を前記温度検知手段により検知し、この第１の水温、第２の水温間の温度上昇値が所定値より低い場合は洗浄槽内の洗浄水を排水し、再度給水を行い、前記温度上昇値が前記所定値より高い場合は排水せずに洗浄行程に移行するようにしたものであり、初回に給湯が行われている場合は、第１の水温、第２の水温間の温度上昇値が所定値より高くなり、そのまま洗浄をおこない、滞留水がある場合には、第１の水温、第２の水温間の温度上昇値が所定値より低くなるため、排水して配管内の滞留水を除去することができ、給湯を無駄に捨てることなく運転時間を短縮することができる。
【００１９】
請求項２に記載の発明は、上記請求項１に記載の発明において、制御手段は、初期の給水開始時に温度検知手段により雰囲気温度を検知し、雰囲気温度に応じて所定値を補正するようにしたものであり、雰囲気温度が高くなると、第１の水温、第２の水温間の温度上昇値は低くなるため、雰囲気温度に応じて所定値を補正することで、雰囲気温度の影響を受けずに、正確に滞留水の有無を検知することができる。
【００２０】
請求項３に記載の発明は、上記請求項１に記載の発明において、制御手段は、初期給水開始から水位検知手段により洗浄水位検知までの時間を測定し、洗浄水位検知までの時間に応じて所定値を補正するようにしたものであり、洗浄水位検知までの時間が長くなると、第１の水温、第２の水温間の温度上昇値は高くなるため、洗浄水位検知までの時間に応じて所定値を補正することで、給水手段の給水流量の差による熱伝導のタイムラグの影響を受けずに、正確に滞留水の有無を検知することができる。
【００２１】
請求項４に記載の発明は、上記請求項１に記載の発明において、食器類の出し入れを行うドアと、前記ドアの開閉状態を検知するドア開閉検知手段とを備え、制御手段は、初期の給水開始から第２の水温を検知するまでの間にドアが開けられたことをドア開閉検知手段により検知した場合は、洗浄槽内の洗浄水を排水し、再度給水を行うようにしたものであり、ドアが開けられたときは、食器類の追加されたり、給水の一時停止による熱伝導のタイムラグにより、第１の水温、第２の水温間の温度上昇値が変化するため、この場合は、洗浄槽内の洗浄水を排水し、再度給水を行うことで、温度上昇値の変化による誤検知を防ぎ、確実に給湯を行うことができる。
【００２２】
請求項５に記載の発明は、上記請求項１に記載の発明において、制御手段は、食器類の洗浄、すすぎ、乾燥行程の一連の逐次動作終了後、温度検知手段により単位時間当たりの雰囲気温度の傾きを検知し、雰囲気温度の傾きが所定値以下になるまでに再運転を開始した場合は、洗浄槽内の水温を前記温度検知手段により検知せずに、前回の温度上昇値を基にして滞留水の有無を判断するようにしたものであり、連続運転時は、前回の温度上昇値を使って滞留水の有無を判断するので、残熱に影響を受けることなく、確実に給湯を行うことができる。
【００２３】
請求項６に記載の発明は、上記請求項１に記載の発明において、制御手段は、検知した温度上昇値が所定の範囲を越える場合は、温度上昇値が所定値より低いと判断するようにしたものであり、温度測定中にノイズ等の外乱の影響によりデータが書き変わってしまった場合でも、確実に給湯を行うことができる。
【００２４】
請求項７に記載の発明は、上記請求項１に記載の発明において、制御手段は、食器類の洗浄、すすぎ、乾燥行程の一連の逐次動作終了後、所定時間内に再運転を開始した場合は、洗浄水内の水温を温度検知手段により検知せずに、温度上昇値が所定値より高いと判断するようにしたものであり、前回運転後の所定時間内であれば給湯器からの配管に滞留水はないので、連続運転時の誤検知を防ぎ、確実に給湯を行うことができる。
【００２５】
【実施例】
以下、本発明の実施例について、図面を参照しながら説明する。なお、従来例と同じ構成のものは同一符号を付して説明を省略する。
【００２６】
（実施例１）
図１に示すように、記憶手段１８は、温度検知手段８から検知した温度を記憶するもので、通常、不揮発性メモリを使用するが、制御手段１９を構成するマイクロコンピュータに、常にマイコンに電源が供給されている場合は、マイクロコンピュータ内部に搭載されているＲＡＭを用いてもよい。
【００２７】
制御手段１９は、初期の給水開始から所定時間ｔａ（たとえば、２０秒）後に洗浄槽１内の第１の水温をサーミスタ（温度検知手段）９により検知し、さらに、水位センサ（水位検知手段）７により洗浄水位検知後から所定時間ｔｂ（たとえば、２０秒）後に、洗浄槽１内の第２の水温をサーミスタ９により検知し、この第１の水温、第２の水温間の温度上昇値が所定値（たとえば、５Ｋ）より低い場合は洗浄槽１内の洗浄水を排水し、再度給水を行うようにしている。他の構成は従来例と同じである。
【００２８】
上記構成において図２および図３を参照しながら動作を説明する。図３において給水弁３から給水（給湯）が始まると、図示のように、洗浄槽１の下部に向かって湯が流れる。給湯された湯はまず、排水口９０に流れ込む。従って、洗浄槽１の低部に外側から密着するように取り付けているサーミスタ９は、洗浄水の水温を熱伝導により検知しているため、時間軸を横軸にとると、検知水温は、図２に示すようなカーブとなる。
【００２９】
図２において、運転開始前はサーミスタ９により検知する温度は、食器洗い機の設置されている雰囲気温度と同じで、その温度をＴａ′とする。給湯器からの配管内に滞留水がなく、給水行程が開始されると、初回から給湯される場合は、湯は排水口９０に流れ込み、徐々に水位は上昇していくが、サーミスタ９は洗浄槽１の下部に取りつけられているため、熱伝導に時間がかかり、サーミスタ９の温度が上昇を始めるまでに時間遅れを生じる。
【００３０】
今、所定時間ｔａを経過すると、図２の曲線Ａで示すように、サーミスタ９に湯の温度の影響が出始めたころであり、このとき、第１の水温Ｔａを検知する。そして、水位センサ７により、洗浄水位を検知した時点で給湯を終え、所定時間ｔｂ経過後に第２の水温Ｔｂを検知する。給水行程終了後、所定時間ｔｂだけ待ってから検知するのは、給水（給湯）行程終了後もサーミスタ９により検知する温度が上昇するので、給湯温度検知の精度を上げるためである。
【００３１】
一方、給湯器からの配管内に滞留水がある場合は、洗浄槽１内には、滞留水が給水されれた後、給湯されるため、サーミスタ９により検知する温度は図２の曲線Ｂに示すようになり、所定時間ｔｂ経過後の第２の水温はＴｂ’となる。このＴｂとＴｂ’との間に、しきい値Ｔｃを設けることにより、排水するか、そのまま洗浄行程を続けるかを判断させることができる。
【００３２】
つぎに、図４を参照しながら具体的な動作を説明する。ステップ２０にて、給水弁３をオンさせ、ステップ２１で、所定時間ｔａ経過後、ステップ２２で洗浄槽１内の第１の水温Ｔａを検知する。ステップ２３にて、水位センサ７が洗浄水位を検知すれば、ステップ２４へ進み、給水弁３をオフする。つぎに、ステップ２５へ進み、所定時間ｔｂのタイマー計測を開始し、ステップ２６にて所定時間ｔｂが経過すればステップ２７へ進み、洗浄槽１内の第２の水温Ｔｂを検知する。
【００３３】
ステップ２８にて、温度上昇の所定値を５Ｋに設定し、しきい値としてＴａに５をプラスしてＴｃに入力する。ステップ２９へ進み、第２の水温Ｔｂがしきい値Ｔｃ以上であれば、滞留水がなく初回から給湯されたと判断し、ステップ３０へ進み、洗浄行程に移行する。
【００３４】
ステップ２９にて、第２の水温Ｔｂがしきい値Ｔｃ未満であれば、滞留水があると判断してステップ３１へ進み、排水ポン１４を２０秒間オンさせ、洗浄槽１内の水を排水し、ステップ３２にて、再び給水弁３をオンし、ステップ３３にて、水位センサ７が洗浄水位を検知すると、ステップ３４へ進み給水弁３をオフし、ステップ３０にて、洗浄行程に移行する。
【００３５】
なお、本実施例では、温度上昇の所定値として、５Ｋと設定しているが、この値では、給湯温度が４０℃位を境として判断するようになる。５Ｋから下げていくと設定温度も下がり、反対に、５Ｋから上げていくと、設定温度上がっていくため、温度設定の調整は可能である。
【００３６】
また、排水ポンプ１０を２０秒オンさせるのは、洗浄槽１内に溜められた洗浄水を完全に排水するのに必要なおおよその時間であり、変更は可能である。
【００３７】
（実施例２）
図１における制御手段１９は、初期給水開始時にサーミスタ９により雰囲気温度を検知し、雰囲気温度に応じて第１の水温Ｔａ、第２の水温Ｔｂ間の温度上昇値と比較する所定値を補正するようにしている。他の構成は上記実施例１と同じである。
【００３８】
上記構成において、まず、図５を参照しながら雰囲気温度と温度上昇値の関係を説明する。サーミスタ９は洗浄槽１の下部に密着させているため、雰囲気温度の影響を受けやすい。図５において、横軸に雰囲気温度をとり、縦軸に温度上昇値Ｔｂ−Ｔａをとると、４０℃給湯をした場合は、直線Ｅのように右下がりとなる。これは、雰囲気温度が高くなるほど、温度上昇値の差が出にくくなるためで、雰囲気温度の基準を２０℃とした場合、１０℃と３０℃では＋ｄｔ１と−ｄｔ１の差となる。給湯温度を５０℃、６０℃とした場合も、直線Ｄ、Ｃで示すように、同様の結果となる。
【００３９】
このため、第１の水温Ｔａ、第２の水温Ｔｂ間の温度上昇値と比較する所定値を雰囲気温度Ｔｆに応じて、−ｄｔ１／１０×Ｔｆ＋２０の一次式を用いて補正し、常に、滞留水の有無の判定を安定させる。
【００４０】
つぎに、図６を参照しながら具体的な動作を説明する。なお、ステップ２０からステップ２７までと、ステップ３０からステップ３４までの動作は、上記実施例１の動作と同じであるので説明を省略する。
【００４１】
ステップ３５にて、給水開始前にサーミスタ９により雰囲気温度Ｔｆを測定する。ステップ３６で、温度上昇の所定値を５Ｋに設定し、しきい値としてＴａに５をプラスし、かつ雰囲気温度Ｔｆに応じて、−ｄｔ１／１０×Ｔｆ＋２０を加えて、Ｔｃに入力する。この結果、雰囲気温度Ｔｆに影響されずに、正確に滞留水の有無を判定することができる。
【００４２】
なお、本実施例では、一次式により所定値を補正しているが、テーブルにより、所定値を選ぶようにしても同様な効果が得られる。
【００４３】
（実施例３）
図１における制御手段１９は、初期給水開始から水位センサ７により洗浄水位検知までの時間を測定し、洗浄水位検知までの時間に応じて、第１の水温Ｔａ、第２の水温Ｔｂ間の温度上昇値と比較する所定値を補正するようにしている。他の構成は上記実施例１と同じである。
【００４４】
上記構成において、図７を参照しながら給水完了までに要した時間と温度上昇値の関係を説明する。サーミスタ９は、洗浄槽１の下部に密着させ、洗浄槽１の水温を熱伝導により検知を行っている。このため、図７において、横軸に給水完了までに要した時間をとり、縦軸に温度上昇値Ｔｂ−Ｔａをとると、４０℃給湯をした場合は、曲線Ｊのように右上がりとなる。
【００４５】
これは、給水が完了する時間が長くなるほど熱伝導のタイムラグを受けずに温度上昇値が出るためで、給水に要する標準時間を１分においた場合、温度上昇値が５Ｋであるのに対し、１．５分かかったとすると、温度上昇値はｄｔ２高くなり、約２℃の差となる。給湯温度を５０℃、６０℃とした場合も、直線Ｉ、Ｈで示すように、同様の結果となる。
【００４６】
このため、図７に示す曲線Ｊを直線Ｋに近似し、第１の水温Ｔａ、第２の水温Ｔｂ間の温度上昇値と比較する所定値を、初期給水開始から水位センサ９により洗浄水位検知までの時間に応じて、一次式を用いて補正し、常に、滞留水の有無の判定を安定させるることができる。
【００４７】
なお、本実施例では、一次式により所定値を補正しているが、テーブルにより、所定値を選ぶようにしても同様な効果が得られる。
【００４８】
（実施例４）
図１における制御手段１９は、初期の給水開始から第２の水温を検知するまでの間にドア１５が開けられたことをドア開閉検知手段１６により検知した場合は、洗浄槽１内の洗浄水を排水し、再度給水を行うようにしている。他の構成は上記実施例例１と同じである。
【００４９】
つぎに、図８を参照しながら具体的な動作を説明する。なお、ステップ２０からステップ３４までの動作は、上記実施例１の動作と同じであるので説明を省略する。
【００５０】
ステップ３７において、給水弁３をオンした以降にドア１５を開閉したかどうかを判断し、ドア１５を開閉されると、新たな食器類の追加（お皿、お椀等に水道水による予備洗浄をした残水が残っている可能性が高い）や熱伝導によるタイムラグの影響がでるため、正確な温度上昇値が測定できなくなる。したがって、ドア１５が開けられた場合は、ステップ３１へ進み、排水ポンプ１０をオンして洗浄槽１内の洗浄水を排水し、再度給水を行うことで、温度上昇値の変化による誤検知を防ぎ、確実に給湯を行うことができる。
【００５１】
なお、本実施例では、ドア１５が開けられた場合に、洗浄槽１内の洗浄水を排水し、再度給水を行うようにしているが、一時停止スイッチ（図示せず）により一時停止した場合にも、熱伝導のタイムラグの影響を受けるため、同じ判断を行えば、同様の効果を得ることができる。
【００５２】
（実施例５）
図１における制御手段１９は、食器類２の洗浄、すすぎ、乾燥行程の一連の逐次動作終了後、サーミスタ９により単位時間当たりの雰囲気温度の傾きを検知し、雰囲気温度の傾きが所定値以下になるまでに再運転を開始した場合は、洗浄槽１内の水温をサーミスタ９により検知せずに、前回の温度上昇値を基にして滞留水の有無を判断するようにしている。他の構成は上記実施例１と同じである。食器類の洗浄、すすぎ、乾燥行程の一連の逐次動作終了後、サーミスタにより、
上記構成において、図９を参照しながら洗浄、すすぎ、乾燥行程の一連の逐次動作中とその後の温度について説明する。
【００５３】
図９において、食器洗い機が設置されている雰囲気温度をＴ（通常２０℃）とすると、曲線Ｌに示すように、洗浄行程の開始により洗浄槽１の水温はピーク値が約５７℃まで上昇し、すすぎ行程（すすぎ１、すすぎ２、すすぎ３、加熱すすぎ行程）にて最高温度８０℃にまで達する。乾燥行程の後、運転が終了すると、徐々に温度は低下し、約３時間（Ｙの時点）後に元の雰囲気温度Ｔに戻る。
【００５４】
特に、運転終了１時間位（Ｘの時点）までは、洗浄槽１内にこもった高温の熱量が放出されるため、この頃に再度運転したとすると、洗浄槽１の残熱が給湯の温度上昇検知の妨げとなり、高温の給湯がされているのにも関わらず、水温が低いと判断され、排水してしまう場合がある。
【００５５】
つぎに、図１０を参照しながら本実施例の動作を説明する。なお、ステップ２０からステップ３４までの動作は上記実施例１の動作と同じであるので説明を省略する。
【００５６】
ステップ４０において運転が終了すると、ステップ４１へ進み、単位時間当たりの検知温度の傾きｄＴｅ／ｄｔｅを測定し、この値をＴｅに入力する。ステップ４２に進み、温度の傾きが１℃より高いと判断した場合はステップ４４へ進み、再運転を開始するとステップ４５に進み、前回の第１の水温Ｔａを今回の第１の水温Ｔａに入力する。同様に、ステップ４６でも前回の第２の水温Ｔｂを今回の第２の水温Ｔｂに入力し、ステップ２８へ進む。
【００５７】
ここで、前回の結果を使用するのは、洗浄槽１の温度が高いため、しきい値よりも高い温度の給湯しているのにも関わらず、排水するといった誤判断を防止するためであり、残熱に影響を受けることなく、確実に給湯を行うことができる。
【００５８】
ステップ４２で、Ｔｅが１℃以下になれば、洗浄槽１の温度が低下し、水温検知可能であると判断し、ステップ４３へ進み、再運転開始を待ち、ステップ２０以降、上記実施例１と同様に動作する。
【００５９】
（実施例６）
図１における制御手段１９は、検知した温度上昇値が所定の範囲（たとえば、１０Ｋ）を越える場合は、温度上昇値が所定値より低いと判断するようにしている。他の構成は上記実施例例１と同じである。
【００６０】
上記構成において図１１を参照しながら動作を説明する。なお、ステップ２０からステップ２７までの動作およびステップ２９からステップ３４までの動作は、上記実施例１の動作と同じであるので説明を省略する。
【００６１】
ステップ４７において、第１の水温Ｔａから第２の水温Ｔｂまでの温度上昇値Ｔｂ−Ｔａの絶対値をとり、それをＴｚに入力する。ステップ４８に進み、Ｔｚが１０Ｋ以下であればステップ４９へ進み、上記実施例１と同様に、第１の水温Ｔａに５をプラスしてしきい値をＴｃとする。
【００６２】
ステップ４８で、Ｔｚが１０Ｋよりも高い場合は、ノイズ等の外乱により、制御手段１９を構成するマイクロコンピュータまたは記憶手段１８の値が書き変わったと判断して、ステップ３１へ進み、排水ポンプ１０をオンして洗浄槽１内の洗浄水を排水し、再度給水を行うことで、温度測定中にノイズ等の外乱の影響によりデータが書き変わってしまった場合でも、確実に給湯を行うことができる。
【００６３】
（実施例７）
図１における制御手段１９は、食器類２の洗浄、すすぎ、乾燥行程の一連の逐次動作終了後、所定時間（たとえば、２０分）内に再運転を開始した場合は、洗浄水内の水温をサーミスタ９により検知せずに、温度上昇値が所定値より高いと判断するようにしている。他の構成は上記実施例１と同じである。
【００６４】
上記構成において図１２を参照しながら動作を説明する。なお、ステップ２０からステップ３４までの動作は、上記実施例１の動作と同じであるので説明を省略する。
【００６５】
ステップ５０において運転が終了すると、ステップ５１にてタイマー計測を開始し、ステップ５２において、経過時間ｔｈが２０分未満であれば、前回の運転直後であり、配管に滞留水はないと判断し、ステップ５４に進み、再運転が開始されるとステップ５５に進み、給水弁３をオンして給湯する。ステップ５６で水位センサ７により洗浄水位を検知すれば、ステップ５７に進み給水弁３をオフし、ステップ３０に進み、洗浄行程に移行する。
【００６６】
ステップ５２において、経過時間ｔｈが２０分以上であればステップ５３に進み、経過時間ｔｈが３時間以上過ぎていた場合は、洗浄槽１の温度が雰囲気温度に戻っていると判断してステップ２０へ進む。
【００６７】
ステップ５３において、経過時間ｔｈが３時間未満であれば、洗浄槽１の温度が雰囲気温度に戻っていないので、正確な温度上昇検知はできないと判断して、ステップ３１に進み、ステップ３１へ進み、排水ポンプ１０をオンして洗浄槽１内の洗浄水を排水し、再度給水を行うことで、確実に給湯を行うことができる。
【００６８】
なお、本実施例では、運転終了後、所定時間（２０分）内に再運転を開始した場合に、洗浄水内の水温をサーミスタ９により検知せずに、温度上昇値が所定値より高いと判断するようにしているが、実際には、乾燥行程が入る場合があるので、最終給湯後からの経過時間としてもよい。
【００６９】
【発明の効果】
以上のように本発明の請求項１に記載の発明によれば、給湯器に接続可能な食器洗い機において、食器類を収納する洗浄槽と、前記洗浄槽に給水する給水手段と、洗浄水を食器類に向けて噴出する洗浄ノズルと、前記洗浄槽に溜められた洗浄水を洗浄ノズルに送り込む洗浄手段と、前記洗浄槽内の洗浄水の水位を検知する水位検知手段と、前記洗浄槽内の洗浄水を洗浄槽外に排出する排水手段と、洗浄水を加熱する加熱手段と、前記洗浄槽内の洗浄水の水温を検知する温度検知手段と、前記温度検知手段により検知した水温を記憶する記憶手段と、前記食器類の洗浄、すすぎ、乾燥行程の一連の動作を逐次制御する制御手段とを備え、前記制御手段は、初期の給水開始から所定時間後に洗浄槽内の第１の水温を前記温度検知手段により検知し、さらに、前記水位検知手段により洗浄水位検知後から所定時間後に、洗浄槽内の第２の水温を前記温度検知手段により検知し、この第１の水温、第２の水温間の温度上昇値が所定値より低い場合は洗浄槽内の洗浄水を排水し、再度給水を行い、前記温度上昇値が前記所定値より高い場合は排水せずに洗浄行程に移行するようにしたから、初回に給湯が行われている場合は、第１の水温、第２の水温間の温度上昇値が所定値より高くなり、そのまま洗浄をすることができ、滞留水がある場合には、第１の水温、第２の水温間の温度上昇値が所定値より低くなるため、排水して配管内の滞留水を除去することができ、給湯を無駄に捨てることなく運転時間を短縮することができる。
【００７０】
また、請求項２に記載の発明によれば、制御手段は、初期の給水開始時に温度検知手段により雰囲気温度を検知し、雰囲気温度に応じて所定値を補正するようにしたから、雰囲気温度の影響を受けずに、正確に滞留水の有無を検知することができる。
【００７１】
また、請求項３に記載の発明によれば、制御手段は、初期給水開始から水位検知手段により洗浄水位検知までの時間を測定し、洗浄水位検知までの時間に応じて所定値を補正するようにしたから、給水手段の給水流量の差による熱伝導のタイムラグの影響を受けずに、正確に滞留水の有無を検知することができる。
【００７２】
また、請求項４に記載の発明によれば、食器類の出し入れを行うドアと、前記ドアの開閉状態を検知するドア開閉検知手段とを備え、制御手段は、初期の給水開始から第２の水温を検知するまでの間にドアが開けられたことをドア開閉検知手段により検知した場合は、洗浄槽内の洗浄水を排水し、再度給水を行うようにしたから、食器類の追加されたり、給水の一時停止による熱伝導のタイムラグにより温度上昇値が変化し、この温度上昇値の変化による誤検知を防ぎ、確実に給湯を行うことができる。
【００７３】
また、請求項５に記載の発明によれば、制御手段は、食器類の洗浄、すすぎ、乾燥行程の一連の逐次動作終了後、温度検知手段により単位時間当たりの雰囲気温度の傾きを検知し、雰囲気温度の傾きが所定値以下になるまでに再運転を開始した場合は、洗浄槽内の水温を前記温度検知手段により検知せずに、前回の温度上昇値を基にして滞留水の有無を判断するようにしたから、連続運転時は、前回の温度上昇値を使って滞留水の有無を判断するので、残熱に影響を受けることなく、確実に給湯を行うことができる。
【００７４】
また、請求項６に記載の発明によれば、制御手段は、検知した温度上昇値が所定の範囲を越える場合は、温度上昇値が所定値より低いと判断するようにしたから、温度測定中にノイズ等の外乱の影響によりデータが書き変わってしまった場合でも、確実に給湯を行うことができる。
【００７５】
また、請求項７に記載の発明によれば、制御手段は、食器類の洗浄、すすぎ、乾燥行程の一連の逐次動作終了後、所定時間内に再運転を開始した場合は、洗浄水内の水温を温度検知手段により検知せずに、温度上昇値が所定値より高いと判断するようにしたから、前回運転後の所定時間内であれば給湯器からの配管に滞留水はないので、連続運転時の誤検知を防ぎ、確実に給湯を行うことができる。
【図面の簡単な説明】
【図１】  本発明の第１の実施例の食器洗い機のシステム構成図
【図２】  同食器洗い機の初期給水行程時の洗浄槽内の検知水温の特性図
【図３】  同食器洗い機の給水行程時の洗浄槽内の状態を示す要部断面図
【図４】  動食器洗い機の動作フロチャート
【図５】  本発明の第２の実施例の食器洗い機の初期給水中の雰囲気温度と洗浄槽内の温度上昇値の特性図
【図６】  同食器洗い機の動作フロチャート
【図７】  本発明の第３の実施例の食器洗い機の給水完了迄の時間と温度上昇値の特性図
【図８】  本発明の第４の実施例の食器洗い機の動作フロチャート
【図９】  本発明の第５の実施例の食器洗い機の検知温度のを示すタイムチャート
【図１０】  同食器洗い機の動作フロチャート
【図１１】  本発明の第６の実施例の食器洗い機の動作フロチャート
【図１２】  本発明の第７の実施例の食器洗い機の動作フロチャート
【図１３】  従来の食器洗い機のシステム構成図
【図１４】  同食器洗い機の動作フロチャート
【符号の説明】
１  洗浄槽
２  食器類
３  給水弁（給水手段）
４  洗浄ノズル
５  洗浄ポンプ（洗浄手段）
７  水位センサ（水位検知手段）
８  ヒータ（加熱手段）
９  サーミスタ（温度検知手段）
１０  排水ポンプ（排水手段）
１８  記憶手段
１９  制御手段
【図１】
0003661345.tif 000002
【図２】
0003661345.tif 000003
【図３】
0003661345.tif 000004
【図４】
0003661345.tif 000005
【図５】
0003661345.tif 000006
【図６】
0003661345.tif 000007
【図７】
0003661345.tif 000008
【図８】
0003661345.tif 000009
【図９】
0003661345.tif 000010
【図１０】
0003661345.tif 000011
【図１１】
0003661345.tif 000012
【図１２】
0003661345.tif 000013
【図１３】
0003661345.tif 000014
【図１４】
0003661345.tif 000015